(57)【要約】【課題】  光源からの光を変調して画像を表示する装置において、画像品質の劣化を低減しながらも、光源近傍の温度変化に起因する表示色度や輝度の変動を校正できるようにする。【解決手段】  光源（１）の近傍温度を検出し（３）、検出温度に応じて、光源の光源制御量を補正し（６）、温度補正された発光制御量（Ｃｔ[Ｒ]、Ｃｔ[Ｇ]、Ｃｔ[Ｂ]）をもとに、光源の発光色度および発光輝度を調整して駆動する（７）一方、外部から入力される画素毎の画像情報である第一の色データを色変換して、第二の色データを求め（１０）、第二の色データに基づいて光源（１）からの光を変調する（２）。【選択図】        図１  
2006030416.tif 000002
【特許請求の範囲】
【請求項１】
発光色度および発光輝度の調整が可能な光源と、上記光源からの光を画素毎に変調して画像を表示する画像表示手段を備える画像表示装置において、
上記光源の近傍温度を検出する温度センサーと、
上記温度センサーの検出温度に応じて、上記光源の発光色度および発光輝度の制御量である光源制御量を補正し、温度補正された上記光源の発光色度および発光輝度の制御量である発光制御量を出力する温度補正手段と、
上記温度補正手段からの発光制御量をもとに、上記光源の発光色度および発光輝度を調整して駆動する光源駆動手段と、
外部から入力される画素毎の画像情報である複数の第一の色データを色変換して、複数の第二の色データを求める色変換手段と
を備え、
上記画像表示手段は、上記複数の第二の色データに基づいて上記光源からの光を画素毎に変調することを特徴とする画像表示装置。
【請求項２】
光源の色度および輝度を検出するカラーセンサーと、
上記カラーセンサーの検出色度および検出輝度から上記光源の検出発光色度および検出発光輝度を求める光源発光量データ生成手段と、
上記検出発光色度および検出発光輝度をもとに、上記光源制御量を決定する光源制御量決定手段と
をさらに備えることを特徴とする請求項１記載の画像表示装置。
【請求項３】
上記光源は、複数の色の発光体の発光量を個別に制御することによって、発光色度および発光輝度の調整がなされるものであり、
上記発光制御量は、上記それぞれの発光体の発光量を制御する制御量であり、
上記光源駆動手段は、上記発光制御量によって、上記それぞれの発光体の発光量を制御して駆動する
ことを特徴とする請求項１または請求項２記載の画像表示装置。
【請求項４】
上記光源の近傍温度に応じた上記発光体の発光量と発光制御量との関係の変化量を表す温度補正データを記憶する温度補正データ記憶手段をさらに備え、
上記温度補正手段は、上記温度センサーの検出温度と上記温度補正データを用いて、上記光源制御量を補正して発光制御量を決定する
ことを特徴とする請求項３記載の画像表示装置。
【請求項５】
上記複数の色の発光体は、赤、緑、青の３色の発光体であることを特徴とする請求項３記載の画像表示装置。
【請求項６】
上記温度センサーの検出温度に応じた色変換特性を出力する色変換特性記憶手段をさらに備え、
上記色変換手段は、上記色変換特性記憶手段から出力される色変換特性を用いて、上記色変換を行うことを特徴とする請求項１記載の画像表示装置。
【請求項７】
発光色度および発光輝度の調整が可能な光源からの光を画素毎に変調して画像を表示する画像表示方法であって、
上記光源の近傍温度を検出する温度検出ステップと、
上記温度検出ステップにて得られた検出温度に応じて、上記光源の発光色度および発光輝度の制御量である光源制御量を補正し、温度補正された上記光源の発光色度および発光輝度の制御量である発光制御量を出力する温度補正ステップと、
上記温度補正ステップ手段にて得られた発光制御量をもとに、上記光源の発光色度および発光輝度を調整して駆動する光源駆動ステップと、
外部から入力される画素毎の画像情報である複数の第一の色データを色変換して、複数の第二の色データを求める色変換ステップと
を備え、
上記複数の第二の色データに基づいて上記光源からの光を画素毎に変調して画像を表示することを特徴とする画像表示方法。
【請求項８】
光源の色度および輝度を検出する輝度色度検出ステップと、
上記輝度色度検出ステップにて得られた検出色度および検出輝度から上記光源の検出発光色度および検出発光輝度を求める光源発光量データ生成ステップと、
上記検出発光色度および検出発光輝度をもとに、上記光源制御量を決定する光源制御量決定ステップと
をさらに備えることを特徴とする請求項７記載の画像表示方法。
【請求項９】
上記光源は、複数の色の発光体の発光量を個別に制御することによって、発光色度および発光輝度の調整がなされるものであり、
上記発光制御量は、上記それぞれの発光体の発光量を制御する制御量であり、
上記光源駆動ステップは、上記発光制御量によって、上記それぞれの発光体の発光量を制御して駆動する
ことを特徴とする請求項７または請求項８記載の画像表示方法。
【請求項１０】
上記光源の近傍温度に応じた上記発光体の発光量と発光制御量との関係の変化量を表す温度補正データを記憶する温度補正データ記憶ステップをさらに備え、
上記温度補正ステップは、上記検出温度と上記温度補正データを用いて、上記光源制御量を補正して発光制御量を決定する
ことを特徴とする請求項９記載の画像表示方法。
【請求項１１】
上記複数の色の発光体は、赤、緑、青の３色の発光体であることを特徴とする請求項９記載の画像表示方法。
【請求項１２】
上記温度検出ステップで得られた検出温度に応じて色変換特性を出力するステップをさらに備え、
上記色変換ステップは、上記出力された色変換特性を用いて、上記色変換を行うことを特徴とする請求項７記載の画像表示方法。
【発明の詳細な説明】
【技術分野】
【０００１】
本発明は、画像表示装置および画像表示方法に関し、特に光源からの光を画素毎に変調して画像を表示する構成において、温度変化に起因する表示色度や輝度の変動を容易に校正できる画像表示装置および画像表示方法に関する。
【背景技術】
【０００２】
温度変化に起因する表示画面の色度や輝度の変動を補正する機能を備えた従来の画像表示装置としては、光源の周囲温度を温度センサーにより検知し、その検出温度により画像に応じて画像処理を行い、表示画像の色再現を補正制御するものがあった（例えば、特許文献１参照）。
【０００３】
一方、光源からの光を画素毎に変調して画像を表示する従来の画像表示装置としては、複数の色の発光体によって光源を構成し、異なる色の発光体からの光を混合することによって光源の機能を果たし、それぞれの色の発光体の発光量を個別に制御することにより表示画面の色度および輝度を調整することができるものがある。
【０００４】
例えば、バックライト等の光源からの光を透過させて画面上に画像を表示する液晶ディスプレイ等のフラットパネルディスプレイでは、赤（Ｒ：Ｒｅｄ）、緑（Ｇ：Ｇｒｅｅｎ）、青（Ｂ：Ｂｌｕｅ）の３色のＬＥＤをそれぞれ複数個配列してなる複数の色の発光体によって光源を構成したものがある。
【０００５】
【特許文献１】特開２０００−１１２４２９号公報（図１）
【発明の開示】
【発明が解決しようとする課題】
【０００６】
上記のような従来の画像表示装置では、周囲環境や発光体自身が発する熱による温度変化に起因して光源の発光色度や発光輝度が変動するという問題があった。光源の発光色度や発光輝度の変動は、画像表示される色度や輝度の変動につながる。高品質での画像表示のためには、表示色度や輝度の変動の校正が必要となる。ここで、温度に依存した光源の発光色度や発光輝度が変動は、例えば、光源に備える複数の色の発光体の発光特性が温度等環境要因に依存することにより、それぞれの色の発光体の発光量の変動量がばらつく（発光量の変動の幅が色ごとに異なる）ことによる。
【０００７】
しかしながら、温度センサーによる検出温度に応じて画像処理を行って、表示画像の色再現を補正制御する従来の画像表示装置においては、所定のビット数で表現されるデジタルデータである画像データに対して画像処理を行うことにより、演算誤差やビット落ち（データの欠落）等が発生し、画面の色度や輝度が変動の補正とは別に画像品質を劣化させてしまうことがあった。
【０００８】
本発明は、このような従来の課題を解決するためになされたものであり、光源からの光を画素毎に変調して画像を表示する画像表示装置において、画像品質の劣化を低減しながらも、光源近傍の温度変化に起因する表示色度や輝度の変動を容易に校正できる画像表示装置および画像表示方法を提供することを目的とするものである。
【課題を解決するための手段】
【０００９】
本発明の画像表示装置は、
発光色度および発光輝度の調整が可能な光源と、上記光源からの光を画素毎に変調して画像を表示する画像表示手段を備える画像表示装置において、
上記光源の近傍温度を検出する温度センサーと、
上記温度センサーの検出温度に応じて、上記光源の発光色度および発光輝度の制御量である光源制御量を補正し、温度補正された上記光源の発光色度および発光輝度の制御量である発光制御量を出力する温度補正手段と、
上記温度補正手段からの発光制御量をもとに、上記光源の発光色度および発光輝度を調整して駆動する光源駆動手段と、
外部から入力される画素毎の画像情報である複数の第一の色データを色変換して、複数の第二の色データを求める色変換手段と
を備え、
上記画像表示手段は、上記複数の第二の色データに基づいて上記光源からの光を画素毎に変調することを特徴とするものである。
【００１０】
本発明の画像表示方法は、
発光色度および発光輝度の調整が可能な光源からの光を画素毎に変調して画像を表示する画像表示方法であって、
上記光源の近傍温度を検出する温度検出ステップと、
上記温度検出ステップにて得られた検出温度に応じて、上記光源の発光色度および発光輝度の制御量である光源制御量を補正し、温度補正された上記光源の発光色度および発光輝度の制御量である発光制御量を出力する温度補正ステップと、
上記温度補正ステップ手段にて得られた発光制御量をもとに、上記光源の発光色度および発光輝度を調整して駆動する光源駆動ステップと、
外部から入力される画素毎の画像情報である複数の第一の色データを色変換して、複数の第二の色データを求める色変換ステップと
を備え、
上記複数の第二の色データに基づいて上記光源からの光を画素毎に変調して画像を表示することを特徴とするものである。
【発明の効果】
【００１１】
本発明によれば、画像処理に起因する表示画像の画像品質の劣化を抑えながらも、光源近傍の温度変化に起因する表示色度や輝度の変動を校正可能となる。
【発明を実施するための最良の形態】
【００１２】
実施の形態１．
図１は、この発明の一実施形態による画像表示装置の構成の一例を示すブロック図である。この実施の形態の画像表示装置は、光源１、拡散板１ｄ、画像表示手段２、温度センサー３、温度データＡ／Ｄ変換手段４、温度補正データ記憶手段５、温度補正手段６、光源駆動手段７、色変換手段８、基準光源制御量記憶手段９、色変換特性記憶手段１０を備える。画像表示手段２は、例えばカラー液晶パネルなどにより構成され、光源１からの光Ｌの透過率を第二の色データＲ２、Ｇ２、Ｂ２の値に応じて画素毎に変えることで光源１からの光を画素毎に変調して画像を表示する。ここで、画像表示手段における表示色度、輝度は、画像表示手段の特性の他に、光源１からの光の色度および輝度によっても変化する。
【００１３】
光源１は、例えば図２に示すように、赤色の光を発するＲ（Ｒｅｄ）発光体１ｒ、緑色の光を発するＧ（Ｇｒｅｅｎ）発光体１ｇ、青色の光を発するＢ（Ｂｌｕｅ）発光体１ｂを有する。例えば、Ｒ発光体１ｒは赤色のＬＥＤを、Ｇ発光体１ｇは緑色のＬＥＤを、Ｂ発光体１ｂは青色のＬＥＤを、それぞれ複数配列したものである。この光源１は、Ｒ発光体１ｒ、Ｇ発光体１ｇ、Ｂ発光体１ｂそれぞれの発光量を個別に制御することにより、発光色度および発光輝度を調整することが可能となる。
【００１４】
光源１からは、３色の発光体１ｒ、１ｇ、１ｂからのＲ、Ｇ、Ｂ光が混合手段１ｍで混合された光Ｌが画像表示手段２へと照射される。なお、画像表示手段２に照射されるに際しては、光源１からの光Ｌは拡散板１ｄなどにより拡散されることが望ましい。温度センサー３は、光源１の近傍に設置されており、光源近傍の検出温度を表す温度データのアナログ値Ｔａを温度データＡ／Ｄ変換手段４に出力する。なお、温度センサー３を設置する際は、光源１の近傍に例えば放熱板等の熱抵抗の低いものを設置し、そこに密着させるなどの方法で固定するのが望ましい。
【００１５】
温度データＡ／Ｄ変換手段４は、温度センサー３から出力された温度データのアナログ値Ｔａをディジタル値Ｔｄに変換し、温度データのディジタル値Ｔｄを温度補正手段６に出力する。
【００１６】
基準光源制御量記憶手段９には、所定の基準温度における光源制御量である基準光源制御量があらかじめ記憶されている。基準光源制御量は、例えば、基準温度において表示される白色が所定の色度および輝度となるためのＲ発光体１ｒの制御量Ｃ［Ｒ］、Ｇ発光体１ｇの制御量Ｃ［Ｇ］、Ｂ発光体１ｂの制御量Ｃ［Ｂ］とすることができる。一方、温度補正データ記憶手段５には、温度センサー３により検出された光源近傍温度に対する光源制御量の補正量である温度補正データｄＣ［Ｒ］、ｄＣ［Ｇ］、ｄＣ［Ｂ］が記憶されている。温度補正データｄＣ［Ｒ］、ｄＣ［Ｇ］、ｄＣ［Ｂ］は、例えば、当該検出温度において、表示される白色が基準温度におけるのと同一の色度および輝度を実現するための光源制御量の補正量とすることができる。この時、検出温度が基準温度と同一である場合には、温度補正データは０となる。
【００１７】
温度補正手段６は、温度データのディジタル値Ｔｄの値に応じて、温度補正データ記憶手段５から適切な温度補正データｄＣ［Ｒ］、ｄＣ［Ｇ］、ｄＣ［Ｂ］を読み出す。温度補正データ記憶手段５は、例えば温度データのディジタル値Ｔｄと温度補正データｄＣ［Ｒ］、ｄＣ［Ｇ］、ｄＣ［Ｂ］を関連付けて記憶したルックアップテーブル（ＬＵＴ）で構成され、温度補正手段６が温度データのディジタル値Ｔｄをアドレスとして温度補正データ記憶手段５に与え、温度補正データ記憶手段５から、そのアドレスに対応する記憶場所に記憶された温度補正データｄＣ［Ｒ］、ｄＣ［Ｇ］、ｄＣ［Ｂ］が読み出される。
温度補正手段６は、読み出された温度補正データｄＣ［Ｒ］、ｄＣ［Ｇ］、ｄＣ［Ｂ］を用いて、基準光源制御量Ｃ［Ｒ］、Ｃ［Ｇ］、Ｃ［Ｂ］に補正を施して発光制御量Ｃｔ［Ｒ］、Ｃｔ［Ｇ］、Ｃｔ［Ｂ］を算出乃至決定して光源駆動手段７へと出力する。
発光制御量Ｃｔ［Ｒ］、Ｃｔ［Ｇ］、Ｃｔ［Ｂ］は、例えば基準光源制御量Ｃ［Ｒ］、Ｃ［Ｇ］、Ｃ［Ｂ］にそれぞれ温度補正データｄＣ［Ｒ］、ｄＣ［Ｇ］、ｄＣ［Ｂ］を加算することにより算出される。すなわち、発光制御量は、光源の温度特性を考慮して光源制御量を補正したものとなる。従って、光源制御量は、基準温度における発光制御量という性格を有するものである。
【００１８】
光源駆動手段７は、入力される発光制御量に応じて光源１におけるＲ発光体１ｒ、Ｇ発光体１ｇ、Ｂ発光体１ｂの発光強度を制御して駆動する。光源１からの光は、画像表示手段２にて透過率が制御（光源からの光が変調）され、カラー画像が表示される。画像表示手段２における透過率の制御は、色変換手段８から入力される第二の色データＲ２、Ｇ２、Ｂ２にしたがって行われる。
【００１９】
以上の処理により、光源１におけるＲ発光体１ｒ、Ｇ発光体１ｇ、Ｂ発光体１ｂの発光強度は温度に応じた補正が施され、例えば白色（グレイ）について、温度変化に関わらず、所定の色度および輝度での表示が可能となる。しかしながら、温度による発光体の発光特性の変化は、発光輝度のみでなく、発光スペクトルの変化も伴う。この場合、光源１の各発光体の発光強度の補正により、白色表示の色度および輝度を一定に保ったとしても、他の色の表示、例えば赤の単色表示の際の色度および輝度は基準温度の際のものとは異なる場合がある。これは、光源１からの光の分光分布が必ずしも同一とはならないためである。本実施の形態の画像表示装置において、この点を補う（補償する）ために画像表示手段に入力される色データに検出温度に応じた色変換処理を施す。
【００２０】
本実施の形態の画像表示装置に入力される第一の色データＲ１、Ｇ１、Ｂ１は、色変換手段８へと入力される。色変換手段８では、色変換特性記憶手段１０から検出温度に応じて出力される色変換特性を用いて、第一の色データＲ１、Ｇ１、Ｂ１に色変換処理を施し、第二の色データＲ２、Ｇ２、Ｂ２を算出乃至決定して画像表示手段２へと出力する。色変換特性記憶手段１０には、検出温度に応じた複数の色変換特性が記憶されており、検出温度を表す温度データのディジタル値Ｔｄに対応した適切な色変換特性を出力する。ここで、色変換手段８は、例えば、マトリクス演算方式またはテーブル参照方式の構成とすることができる。色変換手段８をマトリクス演算方式として構成する場合、色変換特性はマトリクス演算の係数となる。また、色変換手段８をテーブル参照方式として構成する場合、色変換特性はテーブルデータとなる。これらの色変換特性は、あらかじめ実験などにより求めておくことができる。
【００２１】
ここで、本実施の形態の画像表示装置において、光源１からの光の色度および輝度は、例えば白色（グレイ）の表示色度、輝度を一定に保つように検出温度に応じて制御される。したがって、白色（グレイ）については色変換処理の必要はなく、Ｒ１＝Ｒ２、Ｇ１＝Ｇ２、Ｂ１＝Ｂ２とすることができ、色変換処理による演算誤差やビット落ち（データの欠落）等の発生を回避することができる。また他の色について考えても、表示されるほとんどの色は幾分かのグレイ成分を含んでおり、光源の制御により白色（グレイ）の表示色度、輝度が一定に保たれていることより、色変換手段における変換処理の程度（変換による値の変化の度合い）を抑えることができる。色データに対する変換処理の大きさ（変換による値の変化の度合い）が大きくなるほど、それに起因する演算誤差やビット落ち（データの欠落）等の画像品質の劣化も大きくなるが、本実施の形態の画像表示装置においては、画像品質の劣化を抑えることが可能となる。また、画像品質の劣化を抑えながらも、光源近傍の温度変化に起因する表示色度や輝度の変動を校正できる。
【００２２】
実施の形態２．
図３は、この発明の実施形態２による画像表示装置の構成の一例を示すブロック図である。この実施の形態の画像表示装置は、上記実施の形態１の構成において、基準光源制御量を発生する基準光源制御量記憶手段９の代わりに、光源１からの光の色度、輝度に基づいて光源制御量を生成する光源制御量データ生成手段１９を備えるものであり、この光源制御量データ生成手段１９は、カラーセンサー１１、カラーデータＡ／Ｄ変換手段１２、光源発光量データ生成手段１３、基準光源発光量記憶手段１４、光源制御量決定手段１５、相関データ記憶手段１６を有する。光源１、画像表示手段２、温度センサー３、温度データＡ／Ｄ変換手段４、温度補正データ記憶手段５、温度補正手段６、光源駆動手段７、色変換手段８、色変換特性記憶手段１０の構成及び役割は、上記実施の形態１におけるものと同一である。また、光源１は実施の形態１と同様例えば図２に示すように構成されている。
【００２３】
カラーセンサー１１にて光源からの光の色度、輝度を検出することにより、光源１に備える各発光体の経時変化などによる特性の変化も考慮して、表示色度、輝度の変化を補正することが可能となる。カラーセンサー１１は、画像表示手段２の周辺に設置され、光源１からの光の赤（Ｒ），緑（Ｇ），青（Ｂ）の３色（Ｒ、Ｇ、Ｂの３チャンネル）の光量を検出し、これらＲ、Ｇ、Ｂの３チャンネルの検出光量をカラーデータＡ／Ｄ変換手段１２に出力する。なお、上記３チャンネルの検出光量から、光源からの光の色度および輝度が判るので、カラーセンサー１１は、画像表示手段近傍での光源１からの光の色度および輝度を検出し、その検出色度および検出輝度をカラーデータＡ／Ｄ変換手段１２に出力する、と言い換えることもできる。なお、カラーセンサー１１を設置する際には、光源１からの光以外の影響による検出誤差を排除するため、光源１からの光以外の入射光は遮蔽する構造とすることが望ましい。
【００２４】
カラーセンサー１１から出力された検出光量を表すカラーデータのアナログ値ＳａはカラーデータＡ／Ｄ変換手段１２にてディジタル値Ｓｄに変換され、光源発光量データ生成手段１３に出される。
相関データ記憶手段１６には、カラーセンサーのＲ、Ｇ、Ｂチャンネルそれぞれの検出光量と、光源１のＲ発光体１ｒ、Ｇ発光体１ｇ、Ｂ発光体１ｂそれぞれの発光量との間の相関を表す相関データがあらかじめ記憶されている。なお、上記相関データは、それぞれのカラーセンサー１１の検出色度および検出輝度と、それぞれの光源の発光色度および発光輝度との間の相関であるカラー相関を表すデータでもある。
【００２５】
光源発光量データ生成手段１３は、相関データ記憶手段１６に記憶されている相関データを用いて、カラーセンサー１１の検出光量Ｓｄから、光源１のＲ発光体１ｒ、Ｇ発光体１ｇ、Ｂ発光体１ｂそれぞれの検出発光量Ｌ［Ｒ］、Ｌ［Ｇ］、Ｌ［Ｂ］を求めて、光源制御量決定手段１５に出力する。ここで、検出発光量は、カラーセンサーの検出光量から得られた光源の発光量を表す。なお、光源発光量データ生成手段１３は、カラーセンサー１１の検出色度および検出輝度から、光源１の検出発光色度および検出発光輝度を求める手段である、と言い換えることもできる。ここで、検出発光色度および検出発光輝度は、カラーセンサー１１の検出光量から得られた光源１の発光色度および発光輝度を表す。
【００２６】
図示の例の相関データ記憶手段１６は、例えば検出光量Ｓｄと検出発光量Ｌ［Ｒ］、Ｌ［Ｇ］、Ｌ［Ｂ］を関連付けて記憶したルックアップテーブル（ＬＵＴ）で構成され、カラーセンサーの検出光量Ｓｄをアドレスとして、相関データ記憶手段１６に与え、相関データ記憶手段１６から、そのアドレスに対応する記憶場所に記憶された検出発光量Ｌ［Ｒ］、Ｌ［Ｇ］、Ｌ［Ｂ］が読み出される。この場合、光源発光量データ生成手段１３は、相関データ記憶手段１６からデータを読み出すメモリインターフェースとして機能する。
なお、上記のように構成する代わりに、例えば検出光量Ｓｄと検出発光量Ｌ［Ｒ］、Ｌ［Ｇ］、Ｌ［Ｂ］の関係が演算式で表され、相関データ記憶手段１６が当該演算式の係数を記憶し、光源発光量データ生成手段１３が、記憶された係数を用いて、演算式により検出発光量を求める構成としても良い。
【００２７】
基準光源発光量記憶手段１４には、光源１のそれぞれの発光体の基準発光量で構成された基準光源発光量データがあらかじめ記憶されている。ここで、基準発光量は、基準温度において光源からの光が所定の色度、輝度となるための発光体の発光量である。なお、上記基準光源発光量データは、それぞれの光源の基準発光色度および基準発光輝度で構成されたデータでもある。
【００２８】
光源制御量決定手段１５は、光源１のそれぞれの発光体１ｒ、１ｇ、１ｂについて、検出発光量を基準発光量と比較し、それぞれの発光体１ｒ、１ｇ、１ｂの発光量が基準発光量に一致するように光源制御量Ｃ［Ｒ］、Ｃ［Ｇ］、Ｃ［Ｂ］を算出乃至決定して温度補正手段６に出力する。なお、光源制御量は、それぞれの発光体１ｒ、１ｇ、１ｂの発光量を制御するための制御量である。例えば、検出発光量が基準発光量を上回っている場合、発光量を減少させるように光源制御量は生成され、検出発光量が基準発光量を下回っている場合、発光量を増加させるように光源制御量は生成される。
【００２９】
光源制御量決定手段１５から出力された光源制御量が温度補正手段６にて温度補正を施され、光源駆動手段７に入力されて光源が駆動される動作は、上記実施の形態１におけるものと同様である。また、検出温度に応じて色変換手段８にて第一の色データが色変換され、得られた第二の色データが画像表示手段２に入力される動作も、上記実施の形態１におけるものと同様である。
【００３０】
以上のように本発明の形態の画像表示装置によれば、カラーセンサーの検出光量から光源の検出発光量を求め、検出発光量をもとに光源の発光量を制御するための光源制御量を生成することにより、光源に備える各発光体の経時変化などによる特性の変化も考慮して、表示色度、輝度の変化を補正することが可能となるとの効果もある。
なお、本実施の形態の画像表示装置において、光源、温度センサー、カラーセンサーはそれぞれ１個設けられているものとして説明したが、これらを複数個設けても良い。
【図面の簡単な説明】
【００３１】
【図１】この発明の実施の形態１による画像表示装置の構成の一例を示すブロック図である。
【図２】図１の光源１の構成の一例を示す概略図である。
【図３】この発明の実施の形態２による画像表示装置の構成の一例を示すブロック図である。
【符号の説明】
【００３２】
１  光源、  ２  画像表示手段、  ３  温度センサー、  ４  温度データＡ／Ｄ変換手段、  ５  温度補正データ記憶手段、  ６  温度補正手段、  ７  光源駆動手段、  ８  色変換手段、  ９  基準光源制御量記憶手段、  １０  色変換特性記憶手段、  １１  カラーセンサー、  １２  カラーデータＡ／Ｄ変換手段、  １３  光源発光量データ生成手段、  １４  基準光源発光量記憶手段、  １５  光源制御量決定手段、  １６  相関データ記憶手段、  １９  光源制御量データ生成手段。
【図１】
2006030416.tif 000003
【図２】
2006030416.tif 000004
【図３】
2006030416.tif 000005